【事件の表示】
　特許第３４００９８５号「合成木質建材のアルデヒド類除去方法、及びアルデヒド類低放出化合成木質建材」の請求項１ないし３に係る特許に対する特許異議の申立てについて、次のとおり決定する。
【結　論】
　特許第３４００９８５号の請求項１ないし３に係る特許を取り消す。
【理　由】
１．手続の経緯
　特許第３４００９８５号の請求項１ないし３に係る発明についての出願は、平成１２年１１月２日（特許公報の分割の表示及び出願日は、誤載である。）に特許出願され、平成１５年２月２１日にその発明について特許権の設定登録がなされ、その後、その特許について、平成１５年１０月２３日に花田扶弘美より、平成１５年１０月２７日に山本紀子より、平成１５年１０月２８日に中川信雄より、同日に青木隆明より特許異議の申立てがなされ、その後、取消しの理由が通知され、その指定期間内である平成１７年８月８日に意見書が提出されたものである。
　
２．本件請求項１ないし３に係る発明
　特許第３４００９８５号の請求項１ないし３に係る発明は、その特許請求の範囲の請求項１ないし３に記載された事項によって特定される以下のとおりのものである。
「【請求項１】　アルデヒド類を放出しうる合成木質建材のうち、アンモニウム化合物を含有する合成木質建材に対し、ヒドラジド類、アゾール類及びアジン類から選ばれる少なくとも１種を処理することを特徴とする合成木質建材のアルデヒド類除去方法。
　【請求項２】　アルデヒド類を放出しうる合成木質建材のうち、アンモニウム化合物を含有する合成木質建材に対し、ヒドラジド類から選ばれる少なくとも１種を処理することを特徴とする合成木質建材のアルデヒド類除去方法。
　【請求項３】　ホルムアルデヒド及びアンモニウム化合物を含有する接着剤を用いて製造された合成木質建材に、ヒドラジド類、アゾール類及びアジン類から選ばれる少なくとも１種が塗布又は含浸されていることを特徴とするアルデヒド類低放出化合成木質建材。」
（以下、それぞれを「本件発明１」「本件発明２」「本件発明３」という。）
　
３．取消理由の概要
　当審で通知した取消理由の概要は、下記の刊行物を引用し、本件請求項１ないし３に係る発明は、当業者が容易に発明をすることができたものであるから、本件請求項１ないし３に係る発明の特許は、特許法第２９条第２項の規定に違反してなされたものであり取り消すべきものと認められる、というものである。
　　　　　　　　　　　　　　　　記
刊行物１：特開平１１−４８２１４号公報
　　　　　（異議申立人青木隆明提出の甲第１号証、中川信雄提出の
　　　　　　甲第１号証、花田扶弘美提出の甲第６号証） 
刊行物２：半井勇三著「実用木材加工全書３　木材の接着と接着剤」
　　　　　昭和３６年１０月３０日　森北出版株式会社　ｐ．７１−７７
　　　　　（同上甲第３号証、異議申立人中川信雄提出の甲第５号証） 
刊行物３：林業試験場監修「改訂３版　木材工業ハンドブック」昭和５７年
　　　　　６月３０日　丸善株式会社　ｐ．５２３−５２５ 
　　　　　（同上甲第４号証） 
刊行物４：日本接着協会編「接着ハンドブック」昭和４６年５月３０日
　　　　　日刊工業新聞社　ｐ．２４４
　　　　　（同上甲第５号証） 
刊行物５：特公昭５９−１５０４９号公報
　　　　　（異議申立人中川信雄提出の甲第８号証）
　
４．刊行物に記載の事項
　（１）刊行物１（特開平１１−４８２１４号公報）
　（1-a）段落【００１７】には、以下の事項が記載されている。
「実施例１
  木質系パネルとして、ユリア樹脂を用いて接着された長さ１５cm、幅５cm、厚さ２．５cmの合板を用い、下記処方１の処理液を、合板の全面に刷毛によって１０ｇ塗布後乾燥した。乾燥後、１５０℃で３分間熱処理して本発明のホルムアルデヒド放散低減加工合板を得た。
　処方１
　　アジピン酸ジヒドラジド　　　　　　　　　　　　　３重量％
　　ジエチレングリコールジグリシジルエーテル　　　　３重量％
　　水　　　　　　　　　　　　　　　　　　　　　　９４重量％
本発明との比較のために、処方１による処理を行わない未加工合板を比較例１とした。次に本発明との比較のために、本実施例において処方１に代えて下記処方２および処方３を用い、乾燥後の熱処理を省く他は、本実施例と同一の方法によって従来法による比較例２および比較例３の加工合板を得た。
　処方２
　　アジピン酸ジヒドラジド　　　　　　　　　　　　　３重量％
　　水　　　　　　　　　　　　　　　　　　　　　　９７重量％
　処方３
　　アジピン酸ジヒドラジド　　　　　　　　　　　　　３重量％
　　アクリル酸ジヒドラジド　　　　　　　　　　　　　３重量％
　　水　　　　　　　　　　　　　　　　　　　　　　９４重量％
本発明および比較用の合板の性能を測定し、その結果を合わせて表１に示した。」
　（1-b）上記（1-a）の記載からみて、刊行物１には、
「ユリア樹脂を用いて接着された合板の全面に、アジピン酸ジヒドラジド３重量％を含む処理液を塗布後乾燥する方法。」の発明（以下、「引用発明Ａ」という。）
　及び、
「ユリア樹脂を用いて接着された合板の全面に、アジピン酸ジヒドラジド３重量％を含む処理液を塗布後乾燥して得た、加工合板。」の発明（以下、「引用発明Ｂ」という。）が記載されていると認められる。
　（1-c）段落【００１７】【００１９】の記載を参酌すると、表１には、ユリア樹脂を用いて接着された合板にアジピン酸ジヒドラジド３重量％を含む処理液を塗布後乾燥して得た合板（実施例１、比較例２、３）は、同じくユリア樹脂を用いて接着された合板に処理を行わない未加工合板（比較例１）より、加工上り及び水をスプレーした後のいずれも、総じてホルムアルデヒド放散量が少なくホルムアルデヒド吸収率が多くなることが記載され、アジピン酸ジヒドラジドはヒドラジド類の１種であるから、刊行物１には以下の事項が記載されているといえる。
「ユリア樹脂を用いて接着された合板をヒドラジド類で処理すると、処理しないものより、ホルムアルデヒド放散量が少なくなり、ホルムアルデヒド吸収率が多くなる。」
　（２）刊行物２ （「実用木材加工全書３　木材の接着と接着剤」）
　７１頁「１．硬化剤との関係」の項の１−４行に、「尿素樹脂接着剤は，硬化剤として，一般に塩化アンモニウムの１０〜２０％水溶液を樹脂液に対して１０％添加し（塩化アンモニウム粉末を使用する場合は１〜２％），よく攪拌混合して使用する．冷圧法あるいは熱圧法いずれでもよい．合板製造にはほとんど熱圧法が採用されている．」と、
　７７頁５−７行に、「要するに，尿素樹脂接着剤の硬化剤には，一般に塩化アンモンが使用されるが，接着時の温度，圧締条件（熱圧あるいは冷圧）などによって適当な促進剤あるいは抑制剤を併用するがよい。」と記載されている。 
　（３）刊行物３ （「改訂３版　木材工業ハンドブック」）
　５２４頁３−８行に、「ａ．ユリア樹脂接着剤　水溶性で作業性がよく，安価のために最も多く使用されている．しかし，老化性があるために，その改良にフェノール，クレゾール，レゾルシン，チオユリア，メラミンなどと共縮合させ，また，酢酸ビニル樹脂を混合した種々の変性ユリア樹脂接着剤が作られている．樹脂の硬化を早めかつ完全にするために，硬化剤が用いられる．硬化剤としては塩化アンモニウムが最も普通であるが，リン酸アンモニウム，酢酸アンモニウムなどもある．」と記載されている。
　（４）刊行物４（「接着ハンドブック」）
　２４４頁「４・２・３　尿素樹脂の硬化」の項の９、１０行に、「塩化アンモニウムは常温と高い温度において，接着剤中のホルムアルデヒドと反応して，次式のように塩酸とヘキサミンと水に変化し，酸性を与える．」と記載されている。
　（５）刊行物５（特公昭５９−１５０４９号公報）
　１頁１欄３４行−２欄２行に、「このホルムアルデヒド樹脂には遊離ホルムアルデヒドを含有しているが、硬化剤として使用される塩化アンモニウムによつてヘキサメチレンテトラミンと塩酸とを生成し、ｐＨを低下せしめ樹脂は縮合硬化し遊離ホルムアルデヒドの一部は消費され、」 と記載されている。
　
５．対比・判断
５−１．本件発明１について
５−１−１．本件発明１と引用発明Ａとの対比
　本件発明１と引用発明Ａとを対比すると、
　引用発明Ａにおける「ユリア樹脂を用いて接着された合板」と、本件発明１における「アルデヒド類を放出しうる合成木質建材のうち、アンモニウム化合物を含有する合成木質建材」とは、いずれも「アルデヒド類を放出しうる合成木質建材」である点で共通し、
　引用発明Ａにおける「処理液」のアジピン酸ジヒドラジドはヒドラジド類の１種であるから、引用発明Ａにおける「合板の全面に、アジピン酸ジヒドラジド３重量％を含む処理液を塗布後乾燥し」は、本件発明１における「合成木質建材に対し、ヒドラジド類、アゾール類及びアジン類から選ばれる少なくとも１種を処理する」に対応する。
　したがって、本件発明１と引用発明Ａとの一致点及び相違点は、以下のとおりである。
　
　＜一致点＞
「アルデヒド類を放出しうる合成木質建材に対し、ヒドラジド類、アゾール類及びアジン類から選ばれる少なくとも１種を処理する方法。」
　＜相違点＞
　アルデヒド類を放出しうる合成木質建材が、本件発明１では、「アンモニウム化合物を含有する」ものであるのに対して、引用発明Ａでは、アンモニウム化合物を含有するかどうか不明であり、本件発明１は、「合成木質建材のアルデヒド類除去方法」であるのに対して、引用発明Ａは、合成木質建材のアルデヒド類を除去するかどうか不明である点。
　
５−１−２．相違点の検討
　i．本件明細書に「ホルムアルデヒドを吸着除去する手段として、従来、ヒドラジド類、・・・などの消臭剤を合成木質建材に処理することが知られている」と記載されているように、ヒドラジド類が、合成木質建材からのホルムアルデヒドの放出を抑制することは、周知（上記刊行物１の（1-c）、下記周知例１、２参照。）であるから、ヒドラジド類で処理する引用発明Ａは、合成木質建材からのホルムアルデヒドの放出を抑制しているといえ、引用発明Ａにおける「加工合板を得る方法」は、本件発明１における「合成木質建材のアルデヒド類除去方法」と実質的に対応している。
　ii．合成木質建材に使用されるユリア樹脂接着剤には硬化剤としてアンモニウム化合物である塩化アンモニウムが使用されることは、周知技術（上記刊行物２〜４及び下記周知例３、４参照。）である。また、上記刊行物５には、硬化剤として使用される塩化アンモニウムによって、ホルムアルデヒド樹脂に含有されている遊離ホルムアルデヒドの一部は消費されること、が記載されており、この記載は、硬化剤として使用される塩化アンモニウムは、ホルムアルデヒド樹脂に含有されているホルムアルデヒドの放出を抑制することを示唆しているといえる。
　iii．してみると、引用発明Ａにおいて、ホルムアルデヒドの放出を抑制しようとして、処理対象である合成木質建材を、塩化アンモニウムを硬化剤としてユリア樹脂で接着したものにして、上記相違点に係る本件発明１の特定事項を想到することは当業者にとって格別困難性はない。
　
　《周知例》
　（１）周知例１：特開平１０−３６６８１号公報
　周知例１には、以下の事項が記載されている。
「【請求項１】　合成樹脂１００重量部及びヒドラジド化合物０．２〜２０重量部を含有する消臭性樹脂組成物。」
「【請求項３】　ヒドラジド化合物が、ジヒドラジド化合物及びポリヒドラジド化合物から選ばれる少なくとも１種である請求項１・・・に記載の消臭性樹脂組成物。」
「【０００１】・・・本発明は、長期間に亘って優れた消臭効果を維持することができ、例えばコーティング材等として有用な消臭性樹脂組成物に関する。」
「【０００２】・・・最近の新築住宅においては、ホルムアルデヒド等の化学物質を含浸又は塗布した新建材が多用され、該化学物質が大量に気化分散して悪臭となり、生活環境を悪化させ、更に居住者の健康をも損なうことが大きな問題となっている。」
「【００１１】本発明の消臭性樹脂組成物は、・・・新建材から分散気化するホルムアルデヒド等のアルデヒド類の消臭に顕著な効果を有し、しかも優れた消臭効果が長期間に亘って持続するという好ましい特性を有している。」
「【００１３】本発明の消臭性樹脂組成物が、このような顕著な効果を示すのは、ヒドラジド化合物中のヒドラジド基が・・・ホルムアルデヒド等と容易に結合することによる。更に前記の結合が水との反応で加水分解され、・・・ホルムアルデヒド等が再放出されるという性質を有していることから、一旦吸着された・・・ホルムアルデヒド等の悪臭成分が空気中の微量な水分によって、人に嗅覚に感じない程度の濃度で徐々に再放出され、再びフリーになったヒドラジド基が新たな悪臭成分等を結合吸着することも寄与しているものと考えられる。」
　（２）周知例２：「木材工業」Ｖol．４６，Ｎo．８，１９９１
　　　　　　　　　（特許権者提出の乙第３号証）
　周知例２には、以下の事項が記載されている。
「ポリヒドラジドによるユリア樹脂接着剤の新しい硬化」（３５５頁１−２行）
「2.3　放散ホルムアルデヒド
　合板によって硬化樹脂から放散するＦ量をデシケーター法によって調べた結果が第８図である。
　　　　　　　　　　　　　　−中略−
ＰＭＡＨによる硬化法は，少ない添加量でも塩化アンモニウムによる硬化法より放散Ｆ量が少なく、放散Ｆの低下に効果がある。また，添加量を増加すると，放散Ｆ量は著しく減少する。このことから，ポリヒドラジド化合物は，硬化剤ばかりではなくホルムアルデヒド捕捉剤としても働くものと思われる。」（３５８頁右欄１３行−下から３行）なお、上記記載中、「ＰＭＡＨ」、「Ｆ」は、それぞれ、「ポリメタクリル酸ヒドラジド」、「ホルムアルデヒド」を示している。
　（３）周知例３：特開平１１−１７２２１９号公報
　　　　　　　　（異議申立人中川信雄提出の甲第６号証）
　周知例３には、以下の事項が記載されている。
「【０００２】【従来の技術】従来、木質繊維板等を接着成型する場合、尿素樹脂、メラミン樹脂、尿素−メラミン共縮合樹脂等のアミノ樹脂、またはフェノール樹脂を主成分とし、硬化促進剤としてアンモニウム塩を加え接着剤としたバインダーを木質繊維に塗布して使用するのが一般的である。」
　（４）周知例４：「接着の技術」Vol．１６　No．４（１９９７）
 　　　　　　　　　通巻４５号　ｐ．２０−２７
　　　　　　　　　（異議申立人花田扶弘美提出の甲第６号証）
　周知例４の「3.1.1ユリア樹脂木材用接着剤」の項には、以下の事項が記載されている。
「ユリア樹脂接着剤の使用条件を・・・示す。・・・硬化剤としては，塩化アンモニウム，硫酸アンモニウム・・・などがあるが，通常，塩化アンモニウムが使用される。」（２１頁右欄下から１０−２行）
　
５−１−３．本件発明１の効果について
　引用発明Ａは、アルデヒド類を放出しうる合成木質建材に対し、ホルムアルデヒドの放出を抑制するヒドラジド類を処理する方法であるから、引用発明Ａにおいて、ヒドラジド類の処理対象である合成木質建材を、同じくホルムアルデヒドの放出を抑制する塩化アンモニウムをユリア樹脂の硬化剤に使用して接着したものとすれば、さらにホルムアルデヒドの放出を抑制することができるであろうことは、当業者であれば容易に予測し得ることである。
　そして、本件明細書の【表１】に示される実施例１及び比較例１〜３のホルムアルデヒド放出量の試験結果及び該試験結果から算出した除去率は、予測した効果を確認するためのものにすぎない。
　
５−１−４．まとめ
　したがって、本件発明１は、上記刊行物１に記載された発明及び上記刊行物５に記載された事項並びに上記周知技術に基いて当業者が容易に発明をすることができたものである。
　
５−２．本件発明２について
５−２−１．本件発明２と引用発明Ａとの対比
　上記「５−１−１．」に記載の理由と同様の理由により、本件発明２と引用発明Ａとの一致点及び相違点は、以下のとおりである。
　
　＜一致点＞
「アルデヒド類を放出しうる合成木質建材に対し、ヒドラジド類から選ばれる少なくとも１種を処理する方法。」
　＜相違点＞
　アルデヒド類を放出しうる合成木質建材が、本件発明２では、「アンモニウム化合物を含有する」ものであるのに対して、引用発明Ａでは、アンモニウム化合物を含有するかどうか不明であり、本件発明２は、「合成木質建材のアルデヒド類除去方法」であるのに対して、引用発明Ａは、合成木質建材のアルデヒド類を除去するかどうか不明である点。
　
５−２−２．相違点の検討
　本件発明２と引用発明Ａとの相違点は、本件発明１と引用発明Ａとの相違点と同じであるから、相違点の検討は上記「５−１−２．」に記載したのと同様である。
　
５−２−３．本件発明２の効果について
　本件発明２は、本件発明１と同じ効果を奏するから、本件発明２の効果については上記「５−１−３．」に記載したのと同様である。　
　
５−２−４．まとめ
　したがって、本件発明２は、上記刊行物１に記載された発明及び上記刊行物５に記載された事項並びに上記周知技術に基いて当業者が容易に発明をすることができたものである。
　
５−３．本件発明３について
５−３−１．本件発明３と引用発明Ｂとの対比
　本件発明３と引用発明Ｂとを対比すると、
　引用発明Ｂにおける「ユリア樹脂を用いて接着された合板」と、本件発明３における「ホルムアルデヒド及びアンモニウム化合物を含有する接着剤を用いて製造された合成木質建材」とは、いずれも「ホルムアルデヒドを含有する接着剤を用いて製造された合成木質建材」である点で共通し、
　引用発明Ｂにおける「処理液」のアジピン酸ジヒドラジドはヒドラジド類の１種であるから、引用発明Ｂにおける「合板の全面に、アジピン酸ジヒドラジド３重量％を含む処理液を塗布後乾燥して得た」は、本件発明３における「合成木質建材に、ヒドラジド類、アゾール類及びアジン類から選ばれる少なくとも１種が塗布又は含浸されている」に対応する。
　したがって、本件発明３と引用発明Ｂとの一致点及び相違点は、以下のとおりである。
　
　＜一致点＞
「ホルムアルデヒドを含有する接着剤を用いて製造された合成木質建材に、ヒドラジド類、アゾール類及びアジン類から選ばれる少なくとも１種が塗布又は含浸されている合成木質建材。」
　＜相違点＞
　ホルムアルデヒドを含有する接着剤が、本件発明３では、「アンモニウム化合物を含有する」のに対して、引用発明Ｂでは、アンモニウム化合物を含有するかどうか不明であり、本件発明３は、「アルデヒド類低放出化合成木質建材」であるのに対して、引用発明Ｂは、アルデヒド類の放出が抑制されているかどうか不明である点。
　
５−３−２．相違点の検討
　i．本件明細書に「ホルムアルデヒドを吸着除去する手段として、従来、ヒドラジド類、・・・などの消臭剤を合成木質建材に処理することが知られている」と記載されているように、ヒドラジド類が、合成木質建材からのホルムアルデヒドの放出を抑制することは、周知（上記刊行物１の（1-c）、下記周知例１、２参照。）であるから、ヒドラジド類が塗布されている引用発明Ｂにおける「加工合板」は、アルデヒド類の放出が抑制されているといえ、本件発明３における「アルデヒド類低放出化合成木質建材」と実質的に対応している。
　ii．合成木質建材に使用されるユリア樹脂接着剤には硬化剤としてアンモニウム化合物である塩化アンモニウムが使用されることは、周知技術（上記刊行物２〜４及び下記周知例３、４参照。）である。また、上記刊行物５には、硬化剤として使用される塩化アンモニウムによって、ホルムアルデヒド樹脂に含有されている遊離ホルムアルデヒドの一部は消費されること、が記載されており、この記載は、硬化剤として使用される塩化アンモニウムは、ホルムアルデヒド樹脂に含有されているホルムアルデヒドの放出を抑制することを示唆しているといえる。
　iii．してみると、引用発明Ｂにおいて、ホルムアルデヒドの放出を抑制しようとして、処理対象である合成木質建材の接着剤であるユリア樹脂に、塩化アンモニウムを硬化剤として含有させて、上記相違点に係る本件発明３の特定事項を想到することは当業者にとって格別困難性はない。
　
５−３−３．本件発明３の効果について
　引用発明Ｂは、ホルムアルデヒドを含有する接着剤を用いて製造された合成木質建材に、ホルムアルデヒドの放出を抑制するヒドラジド類が塗布されている合成木質建材であるから、引用発明Ｂにおいて、同じくホルムアルデヒドの放出を抑制する塩化アンモニウムを、ヒドラジド類を塗布する対象である合成木質建材の接着剤に硬化剤として含有させれば、さらにホルムアルデヒドの放出を抑制することができるであろうことは、当業者であれば容易に予測し得ることである。
　そして、本件明細書の【表１】に示される実施例１及び比較例１〜３のホルムアルデヒド放出量の試験結果及び該試験結果から算出した除去率は、予測した効果を確認するためのものにすぎない。
　
５−３−４．まとめ
　したがって、本件発明３は、上記刊行物１に記載された発明及び上記刊行物５に記載された事項並びに上記周知技術に基いて当業者が容易に発明をすることができたものである。
　
６．むすび
　以上のとおり、本件発明１ないし３は、上記刊行物１に記載された発明及び上記刊行物５に記載された事項並びに上記周知技術に基いて当業者が容易に発明をすることができたものであるから、本件発明１ないし３についての特許は、特許法第１１３条第２号に該当し、取り消されるべきものである。
　よって、結論のとおり決定する。
【異議決定日】
平成１７年９月２８日（２００５．９．２８）